(57)【要約】【課題】  スマート機能のオン／オフの切り替えを、スイッチの追加無しで、且つ、不要な混乱を招くことなく実現することのできる車載機器遠隔制御装置を提供する。【解決手段】  車載送信機から予め定められた範囲に送信要求信号を送信させると共に、その送信要求信号を受信した携帯機からの返送信号を車載受信機によって受信し、その携帯機からの返送信号に含まれている識別情報と予め記憶している識別情報とが一致していればドアのアンロックを許可するスマート機能用の制御装置は、スマート機能を作動（オン）させることと、送信要求信号の送信を止めてスマート機能を非作動（オフ）にすることを切り替えるため以外の役割を有した既存の複数のスイッチが予め定められた規則（Ｓ１１０〜Ｓ１７０）で操作されたことを検知すると、スマート機能のオン／オフ状態を反転させるようになっている（Ｓ１８０）。【選択図】  図２
2005336916.tif 000002
【特許請求の範囲】
【請求項１】
予め定められた範囲に送信要求信号を送信する車載送信機と、
携帯機が前記送信要求信号を受信することで送信する返送信号を受信する車載受信機と、
前記車載受信機により受信される前記返送信号に基づいて車載機器を制御する制御手段と、
を備えた車載機器遠隔制御装置において、
当該装置の状態を、前記車載送信機が前記送信要求信号を送信する作動状態と、前記車載送信機が前記送信要求信号を送信しない非作動状態とに切り替える切替手段を備えると共に、
前記切替手段は、当該装置の状態を前記作動状態と前記非作動状態とに切り替えるため以外の役割を有した複数のスイッチが予め定められた規則で操作されると、当該装置の状態を切り替えるように構成されていること、
を特徴とする車載機器遠隔制御装置。
【請求項２】
請求項１に記載の車載機器遠隔制御装置において、
前記切替手段は、前記複数のスイッチが予め定められた１種の規則で操作されたことを検知する毎に、当該装置の状態を、前記作動状態と前記非作動状態とのうち、前記操作の検知前の状態とは反対の状態に切り替えるように構成されていること、
を特徴とする車載機器遠隔制御装置。
【請求項３】
請求項１又は請求項２に記載の車載機器遠隔制御装置において、
前記複数のスイッチと前記規則は、その複数のスイッチをその規則で操作することが、当該装置の設けられた車両の室内と室外との何れからでも可能なものであること、
を特徴とする車載機器遠隔制御装置。
【請求項４】
請求項１ないし請求項３の何れか１項に記載の車載機器遠隔制御装置において、
前記切替手段が当該装置の状態を切り替えた際に、そのことを、当該装置が設けられた車両の使用者に対して、前記作動状態と前記非作動状態との何れに切り替えられたかが識別可能に報知する報知手段を備えていること、
を特徴とする車載機器遠隔制御装置。
【発明の詳細な説明】
【技術分野】
【０００１】
本発明は、スマート機能によって車載機器を制御する車載機器遠隔制御装置に関するものである。
【背景技術】
【０００２】
従来より、自動車においては、車載送信機から予め定められた範囲に送信要求信号を送信すると共に、その送信要求信号を受信した携帯機からの返送信号を車載受信機によって受信し、車両側の制御装置が、その車載受信機によって受信された返送信号に含まれているコードと当該制御装置内に予め登録されているコードとが一致していれば、ドアロックアクチュエータの駆動によるドアの解錠又は解錠許可やエンジンの始動許可といった車載機器の制御動作を行う、スマートキーシステムが知られている。また例えば、携帯機からの正規の返送信号が車載受信機によって受信されなくなると、自動的にドアを施錠するものもある。
【０００３】
ここで、この種のスマートキーシステムにおいては、当該システムの機能であるスマート機能を作動（オン）させることと非作動（作動停止：オフ）にすることを切り替えることができるようにする要望がある。このような切り替え機能は、単に使用者の好みに対応できるようにすることは勿論であるが、例えば心臓ペースメーカを使用している人への配慮からも必要である。
【０００４】
そこで、従来より、スマート機能をオン／オフするための専用のスイッチを設け、そのスイッチがオン又はオフされると、車載送信機からの送信要求信号の送信を停止させてスマート機能をオフさせるようにしていた（例えば、特許文献１，２参照）。
【特許文献１】特開２００１−９８８１０号公報
【特許文献２】特開２０００−１７０４２０号公報
【発明の開示】
【発明が解決しようとする課題】
【０００５】
しかしながら、上記従来の技術では、スマート機能をオン／オフさせるために、専用の切替スイッチを設ける必要があるため、その分、コスト増加を招いてしまう。
また、使用者が、無意識にその切替スイッチに触れてスマート機能がオフされた場合、本当は正常であるにも拘わらず使用者は故障したと思ってしまう、といった混乱を招く可能性もある。
【０００６】
本発明は、こうした問題に鑑みなされたものであり、スマート機能のオン／オフの切り替えを、スイッチの追加無しで、且つ、不要な混乱を招くことなく実現することのできる車載機器遠隔制御装置の提供を目的としている。
【課題を解決するための手段】
【０００７】
上記目的を達成するためになされた請求項１の車載機器遠隔制御装置では、車載送信機が、予め定められた範囲に送信要求信号を送信し、その送信要求信号を受信した携帯機から送信される返送信号を、車載受信機が受信する。そして、制御手段が、その車載受信機により受信される返送信号に基づいて車載機器を制御する。また、この車載機器遠隔制御装置には、当該装置の状態を、車載送信機が送信要求信号を送信する作動状態と、車載送信機が送信要求信号を送信しない非作動状態とに切り替える切替手段が備えられている。
【０００８】
つまり、請求項１の車載機器遠隔制御装置は、車両のスマートキーシステムを成すものであり、本装置の状態が作動状態になっている場合が、スマート機能のオンに該当し、本装置の状態が非作動状態になっている場合が、スマート機能のオフに該当している。
【０００９】
ここで特に、請求項１の車載機器遠隔制御装置において、切替手段は、当該装置の状態を作動状態と非作動状態とに切り替えるため以外の役割を有した複数のスイッチが予め定められた規則で操作されると、当該装置の状態を切り替えるように構成されている。
【００１０】
この車載機器遠隔制御装置によれば、スマート機能のオン／オフの切り替え（即ち、作動状態と非作動状態との切り替え）を、専用のスイッチを追加することなく、他の役割のために設けられている既存のスイッチの操作によって実現することができる。
【００１１】
しかも、複数のスイッチを予め定められた規則で操作しない限り、スマート機能のオン／オフは切り替わらないため、従来技術のようにスマート機能のオン／オフを無意識に切り替えてしまうことが防止され、不要な混乱を招くこともない。
【００１２】
ところで、切替手段は、前記複数のスイッチが予め定められた第１の規則で操作されたことを検知すると、当該装置の状態を前記作動状態に設定し、前記複数のスイッチが前記第１の規則とは異なる第２の規則で操作されたことを検知すると、当該装置の状態を前記非作動状態に設定する、といった具合に構成することができる。
【００１３】
但し、この場合、使用者は、２種類の操作規則を覚えておく必要がある。
そこで、請求項２に記載の如く、切替手段は、前記複数のスイッチが予め定められた１種の規則で操作されたことを検知する毎に、当該装置の状態を、前記作動状態と前記非作動状態とのうち、前記操作の検知前の状態とは反対の状態に切り替えるように構成されていれば、使用者は１種類の操作規則を覚えておくだけで良く、使い勝手が良い。
【００１４】
また更に、請求項３に記載の如く、前記複数のスイッチと前記規則は、その複数のスイッチをその規則で操作することが、当該装置の設けられた車両の室内と室外との何れからでも可能なものにしておけば、使い易さの面で非常に有利である。スマート機能のオン／オフの切り替えを、車両の室内と室外とのどちらからでも行うことができるからである。
【００１５】
次に、請求項４の車載機器遠隔制御装置では、報知手段が備えられている。そして、その報知手段は、切替手段が当該装置の状態を切り替えた際に、そのことを、当該装置が設けられた車両の使用者に対して、前記作動状態と前記非作動状態との何れに切り替えられたかが識別できるように報知する。
【００１６】
このような車載機器遠隔制御装置によれば、使用者は、報知手段の報知により、当該装置の状態が自分の意図する方の状態に切り替えられたことを確認することができる。よって、使用者に不安を抱かせることがない。
【発明を実施するための最良の形態】
【００１７】
以下に、本発明が適用された実施形態の車両用電子キーシステムについて説明する。尚、本実施形態の電子キーシステムは、正規の携帯機が車両周囲の無線通信エリア内に入るとドアをアンロックするための処理が行われるスマートキーシステムと、使用者がその正規の携帯機に設けられているボタンを押すことでドアのロック／アンロックが行われるリモートキーレスエントリーシステム（以下、ＲＫＥという）とを兼ねたものである。
【００１８】
まず図１に示すように、実施形態の電子キーシステム１は、車両の使用者に携帯される電子キーとしての携帯機３と、車両に搭載されて、該車両周囲の無線通信エリアへ送信要求信号を送信する送信機（車載送信機）５と、車両に搭載されて、携帯機３からの無線電波を受信する受信機（車載受信機）７と、その送信機５及び受信機７に接続された制御装置（制御手段に相当）９とを備えている。そして、制御装置９には、当該制御装置９の動作を司るマイコン１１が備えられている。
【００１９】
更に、制御装置９には、車両のドアのロックとアンロックを行うためのドアロックモータ１３と、ドアの開閉状態を検出するためのドア開検出スイッチ１５と、ドアをロックさせる際にロック位置に操作され、ドアをアンロックさせる際にアンロック位置に操作されるドアロックポジションスイッチ１７と、人が運転席ドアの特定位置（この例ではドアノブ）に触ったことを検出するドアセンサ１９と、ブザー２１とが接続されている。
【００２０】
尚、ドアロックモータ１３とドア開検出スイッチ１５は、各ドアに設けられている。また、ドアロックポジションスイッチ１７は、運転席ドアの内側（車室内側）に設けられている。そして、ドアセンサ１９は、運転席ドアの外側（車室外側）のドアノブに設けられている。
【００２１】
ここで、本実施形態におけるＲＫＥとスマートキーシステムの機能は、周知のものであるが、その概要を制御装置９の動作と合わせて説明する。
（１）まず、ＲＫＥの機能概要について説明する。
【００２２】
（１−１）ＲＫＥでは、車両の使用者が携帯機３のロック用ボタン３ａ又はアンロック用ボタン３ｂを押すと、該携帯機３から車両に固有のＲＫＥ用識別情報を含んだＲＫＥ用電波が送信される。また、携帯機３のボタン３ａ，３ｂのうち、ロック用ボタン３ａが押された場合には、ＲＫＥ用電波にロックを示す動作指示情報が含まれ、アンロック用ボタン３ｂが押された場合には、ＲＫＥ用電波にアンロックを示す動作指示情報が含まれることとなる。尚、携帯機３のボタン３ａ，３ｂは、押されることでオンするボタンタイプのスイッチである。
【００２３】
（１−２）そして、制御装置９は、携帯機３からのＲＫＥ用電波が受信機７により受信されると、その受信された電波に含まれていたＲＫＥ用識別情報が当該制御装置９に記憶されているＲＫＥ用識別情報（即ち、当該装置９が搭載された車両に固有のＲＫＥ用識別情報）と一致しているか否かの認証判定を行い、一致していたならば、その受信した電波にＲＫＥ用識別情報と一緒に含まれていた上記動作指示情報に応じて、ドアロックモータ１３を駆動して全ドアをロック又はアンロック状態にする。そして更に、制御装置９は、このように携帯機３からのＲＫＥ用電波によって全ドアをロック又はアンロック状態にした際に、ブザー２１を駆動して、使用者に、ＲＫＥの機能によってドアのロック又はアンロックが行われたことを報知する。
【００２４】
（２）次に、スマート機能（スマートキーシステムの機能）の概要について説明する。
（２−１）制御装置９は、送信機５から定期的に送信要求信号を送信させる。
（２−２）また、携帯機３は、送信機５からの送信要求信号を受信可能な無線通信エリア内に入って、その送信要求信号を受信すると、返送信号として、車両に固有のスマート用識別情報を含んだスマート用電波を送信する。
【００２５】
（２−３）そして、制御装置９は、車両の全ドアが閉状態でロックされている駐車時において、携帯機３からの上記スマート用電波が受信機７により受信されると、その受信された電波に含まれていたスマート用識別情報が当該制御装置９に記憶されているスマート用識別情報（即ち、当該装置９が搭載された車両に固有のスマート用識別情報）と一致しているか否かの認証判定を行い、一致していたならば、ドアのアンロックを許可した状態となる。そして更に、そのアンロック許可状態で、ドアセンサ１９からの信号により、人が運転席ドアのノブを触ったことを検知すると、ドアロックモータ１３を駆動して全ドアをアンロック状態にする。
【００２６】
一方、携帯機３とは関係の無い機能として、制御装置９は、運転席ドアのドアロックポジションスイッチ１７がロック位置に操作されたことを検出すると、ドアロックモータ１３を駆動して全ドアをロック状態にし、逆に、上記ドアロックポジションスイッチ１７がアンロック位置に操作されたことを検出すると、ドアロックモータ１３を駆動して全ドアをアンロック状態にする。
【００２７】
また、制御装置９は、各ドアのドア開検出スイッチ１５のオン／オフ状態から、各ドアの開閉状態を検出するが、この各ドアのドア開検出スイッチ１５は、該当するドアが開かれてオンすることで、ドアが開いていること示す警告灯やルームランプに通電するための通電経路を形成する役割も果たしている。
【００２８】
ところで、本実施形態の電子キーシステム１では、スマート機能のオン／オフを切り替え可能に構成されている。
そこで次に、スマート機能のオン／オフの切り替えが、どの様にして行われるかについて、図２に基づき説明する。尚、図２は、スマート機能のオン／オフの切り替え動作を表すフローチャートである。また、スマート機能のオンとは、スマート機能を有効にして該スマート機能を通常作動させることであり、制御装置９は、このスマート機能のオン時に上記（２−１）及び（２−３）の動作を行う。逆に、スマート機能のオフとは、送信機５からの送信要求信号の送信を停止してスマート機能が作動しないようにすることであり、このスマート機能のオフ時において、制御装置９は、上記（２−１）及び（２−３）の動作を行わなくなる。
【００２９】
本実施形態の電子キーシステム１において、制御装置９は、図２のＳ１１０〜Ｓ１７０に示す下記（ａ）〜（ｅ）の各条件が順番に成立したことを検知すると、スマート機能のオン／オフ状態を切り替えるように構成されている。
【００３０】
（ａ）まずＳ１１０に示すように、車両の全ドアが閉じられている駐車時において、携帯機３のアンロック用ボタン３ｂが押された、という条件。
尚、携帯機３のアンロック用ボタン３ｂが押されたことは、携帯機３から受信したＲＫＥ用電波に含まれている前述の動作指示情報によって検知される。また、このとき、制御装置９は、前述したＲＫＥの機能により、ドアロックモータ１３を駆動して全ドアのアンロックを行うこととなり、このドアロックモータ１３によるアンロックに連動して、運転席ドアのドアロックポジションスイッチ１７はアンロック位置となる。
【００３１】
（ｂ）次にＳ１２０に示すように、上記（ａ）の条件が成立してドアのアンロックを行ってから時間Ｔ１以内に、運転席（Ｄ席）ドアが閉状態から開かれた、という条件。
尚、運転席ドアが閉状態から開かれたという操作は、運転席ドアのドア開検出スイッチ１５（以下、Ｄ席ドア開検出スイッチ１５ｄという）がオフ状態からオンされたというスイッチ操作でもある。つまり、運転席ドアの開閉操作は、Ｄ席ドア開検出スイッチ１５ｄのオン／オフ操作でもある。
【００３２】
（ｃ）次にＳ１３０に示すように、上記（ｂ）の条件が成立してから時間Ｔ２以内に、運転席ドアのドアロックポジションスイッチ１７が、アンロック位置からロック位置に操作されて再びアンロック位置に操作された、という条件。
【００３３】
（ｄ）次にＳ１４０〜Ｓ１６０に示すように、上記（ｃ）の条件が成立してから時間Ｔ３以内に、運転席ドアが開状態から閉→開→閉→開と操作（換言すれば、Ｄ席ドア開検出スイッチ１５ｄがオン状態からオフ→オン→オフ→オンと操作）された後、運転席ドアのドアロックポジションスイッチ１７がアンロック位置→ロック位置→アンロック位置と操作され、更にその後、運転席ドアが開状態から閉→開と操作（換言すれば、Ｄ席ドア開検出スイッチ１５ｄがオン状態からオフ→オンと操作）された、という条件。
【００３４】
（ｅ）最後にＳ１７０に示すように、上記（ｄ）の条件が成立してから時間Ｔ４以内に、運転席ドアが開状態から閉じられた（換言すれば、Ｄ席ドア開検出スイッチ１５ｄがオン状態からオフされた）、という条件。
【００３５】
そして、制御装置９は、上記（ａ）〜（ｅ）の条件が順番に成立したことを検知すると、図２のＳ１８０に示すように、スマート機能のオン／オフの内部設定を、その検知前の設定とは反対の方に切り替える（つまり、反転させる）切替手段としての処理を行う。そして更に、制御装置９は、図２のＳ１９０に示すように、スマート機能のオン／オフを切り替えたことを、ブザー２１を駆動して使用者に報知する報知手段としての処理を行う。本実施形態では、スマート機能をオンに切り替えた場合には、ブザー２１を１回鳴らし、スマート機能をオフに切り替えた場合には、ブザー２１を連続して２回鳴らすようにしており、これにより、オンとオフとのどちらに切り替わったのかを使用者が識別できるようにしている。
【００３６】
尚、制御装置９は、上記Ｓ１８０でスマート機能のオン／オフの内部設定をオンにしたならば、以後の動作モードが、上記（２−１）及び（２−３）の動作を行う第１の動作モードとなり、逆に、上記Ｓ１８０でスマート機能のオン／オフの内部設定をオフにしたならば、以後の動作モードが、上記（２−１）及び（２−３）の動作を行わない第２の動作モードとなる。また、上記時間Ｔ１〜Ｔ４のうち、時間Ｔ１，Ｔ２，Ｔ４は、例えば５秒に設定されており、時間Ｔ３は他の時間よりも長く例えば４０秒に設定されている。
【００３７】
以上のような本実施形態の電子キーシステム１では、スマート機能のオン／オフを切り替えるため以外の役割を有した複数のスイッチ（携帯機３のアンロック用ボタン３ｂ、Ｄ席ドア開検出スイッチ１５ｄ、及び運転席ドアのドアロックポジションスイッチ１７）が上記（ａ）〜（ｅ）の規則で操作されると、スマート機能のオン／オフを切り替えるようになっている。
【００３８】
このため、スマート機能のオン／オフの切り替えを、専用のスイッチを追加することなく、他の役割のために設けられている既存のスイッチの操作によって実現することができる。しかも、複数のスイッチを上記（ａ）〜（ｅ）の規則で操作しない限り、スマート機能のオン／オフは切り替わらないため、使用者が、無意識にスマート機能をオフさせてしまい本当は正常であるのに故障したと思ってしまう、といった混乱を招くこともない。
【００３９】
そして更に、本実施形態では、複数のスイッチが上記（ａ）〜（ｅ）の規則で操作されたことを検知する毎に、スマート機能のオン／オフ状態を反転させるようにしているため、使用者は１種類の操作規則を覚えておくだけで良く、使い勝手が良い。
【００４０】
しかも、本実施形態において、携帯機３のアンロック用ボタン３ｂ、Ｄ席ドア開検出スイッチ１５ｄ、及び運転席ドアのドアロックポジションスイッチ１７を上記（ａ）〜（ｅ）の規則で操作することは、車両の室内と室外とのどちらからでもできる。
【００４１】
つまり、携帯機３のアンロック用ボタン３ｂの操作と、Ｄ席ドア開検出スイッチ１５ｄのオン／オフ操作（運手席ドアの開閉操作）は、勿論、車室内と車室外とのどちらからでも行うことができる。また、運転席ドアのドアロックポジションスイッチ１７は、運転席ドアが開いていれば、車室内と車室外とのどちらからでも操作することができ、上記（ａ）〜（ｅ）の規則は、そのドアロックポジションスイッチ１７の操作を、運転席ドアを開いた状態でのみ行うように設定されているからである。このため、スマート機能のオン／オフの切り替えを、車室内と車室外とのどちらからでも行うことができ、非常に便利である。
【００４２】
また更に、本実施形態では、スマート機能のオン／オフを切り替えた際に、オンとオフとのどちらに切り替わったのかが分かるようにブザー２１で報知するようにしているため、使用者は、切り替え後の状態を簡単に確認することができる。
【００４３】
以上、本発明の一実施形態について説明したが、本発明はこうした実施形態に何等限定されるものではなく、本発明の要旨を逸脱しない範囲において、種々なる態様で実施し得ることは勿論である。
【００４４】
例えば、上記実施形態のスマート機能では、携帯機３からのスマート用電波に含まれていたスマート用識別情報が車両に固有のスマート用識別情報と一致していると認証すると、ドアのアンロックを許可し、その後、人が運転席ドアのノブを触ったことを検知すると、ドアをアンロックさせるものであったが、認証したらすぐにアンロックさせるシステムでも良い。また、このようなドアのアンロック制御だけでなく、例えば、駐車時において携帯機３からのスマート用電波を受信機７により受信できなくなると、使用者が車両から離れたものと判断して、ドアロックモータ１３を駆動し全ドアを自動的にロックする、といったロック制御も行うようにしても良い。また更に、スマート機能としては、上記のようなドアのアンロック又はロックに関するものに限らず、エンジンの始動許可を行うものでも良い。
【００４５】
一方、スマート機能のオン／オフを切り替えるために操作する既存のスイッチ、及びその各スイッチの操作規則は、上記実施形態で述べたもの以外でも良い。
【図面の簡単な説明】
【００４６】
【図１】実施形態の電子キーシステムの構成を表す構成図である。
【図２】スマート機能のオン／オフの切り替え動作を表すフローチャートである。
【符号の説明】
【００４７】
１…電子キーシステム、３…携帯機、３ａ…ロック用ボタン、３ｂ…アンロック用ボタン、５…車載送信機、７…車載受信機、９…制御装置、１１…マイコン、１３…ドアロックモータ、１５…ドア開検出スイッチ、１７…ドアロックポジションスイッチ、１９…ドアセンサ、２１…ブザー
【図１】
2005336916.tif 000003
【図２】
2005336916.tif 000004